(57)【要約】      （修正有）【課題】最初の運転を開始するとき、通常の運転を実行するのに先立って、必ず試運転時の水捨て動作を実行させることができる食器洗い機の提供。【解決手段】食器類を収納する洗浄槽１１と、洗浄水を給水する給水弁１９を有する給水手段１９，２０と、洗浄水の所定水位を検出する水位検出手段２１と、洗浄水を噴射する洗浄手段１３，１７と、洗浄水を排水する排水手段１７，１８と、上記給水手段、洗浄手段、及び排水手段を制御して、上記洗浄槽内の食器類の洗浄やすすぎを行う制御手段３０とを備える食器洗い機を前提として、  上記制御手段が試運転制御手段３０ｂを備えて成り、  食器洗い機が設置されて最初に運転を行う時、上記給水手段により洗浄槽内に給水し、上記排水手段により洗浄槽から排水する水捨て動作を自動的に実行することにより、上記給水弁内に侵入する異物を機外に排出することである。【選択図】図１
2008284223.tif 000002
【特許請求の範囲】
【請求項１】
食器類を収納する洗浄槽と、
上記洗浄槽内に洗浄水を給水する給水弁を有する給水手段と、
上記洗浄槽内の洗浄水の所定水位を検出する水位検出手段と、
上記洗浄槽内に洗浄水を噴射する洗浄手段と、
上記洗浄槽から洗浄水を排水する排水手段と、
上記給水手段、洗浄手段、及び排水手段を制御して、上記洗浄槽内の食器類の洗浄やすすぎを行う制御手段とを備える食器洗い機において、
上記制御手段が試運転制御手段を備えて成り、
食器洗い機が設置されて最初に運転を行う時、上記給水手段により洗浄槽内に給水し、上記排水手段により洗浄槽から排水する水捨て動作を自動的に実行することにより、上記給水弁内に侵入する異物を機外に排出することを特徴とする食器洗い機。
【請求項２】
上記水捨て動作を複数回実行することを特徴とする請求項１に記載の食器洗い機。
【請求項３】
上記水捨て動作を、給水−洗浄−排水の各動作を繰り返して行う所定のコースを利用して実行することを特徴とする請求項１又は請求項２に記載の食器洗い機。
【請求項４】
上記水捨て動作を、上記給水弁の１回の開閉動作で行うことを特徴とする請求項１に記載の食器洗い機。
【請求項５】
上記給水弁を開き給水を開始した後、該給水弁を閉じて給水を停止する前に、上記排水手段による排水を開始することにより、該給水弁の１回の開閉動作で洗浄水の規定水量よりも多い量の水捨てを行うことを特徴とする請求項４に記載の食器洗い機。
【発明の詳細な説明】
【技術分野】
【０００１】
本発明は、食器洗い機の設置後における最初の運転において、必ず試運転時の水捨て動作を行う食器洗い機に関する。さらに詳細には、食器洗い機がシステムキッチンに組み込まれ、電源コードがコンセントに差し込まれた後、最初に運転を開始するとき、給水配管内に入り込んでいる異物を排出するために、必ず試運転時の水捨て動作を実行させることができる食器洗い機に関する。
【背景技術】
【０００２】
システムキッチンに組込まれるタイプの食器洗い機が、施工業者によってシステムキッチン内に設置される場合、機器が組み込まれる前に給水配管や排水配管の設備が事前に施工され、機器本体に設けてある給水ホースや排水ホースと接続される。この配管の施工時には、設備の給水配管の内部に金属粉やゴミ等の異物が入り込むことがあり、また給水配管内にサビが発生することもあるため、食器洗い機を設置して最初に給水する時は、他の水栓を開いて数リットルの水を流すように工事説明書において指示している。
しかしながら、このような作業は施工時に必ずしも実行されない場合があり、食器洗い機が初めて使用される時に、機器の給水入口に設けられた給水弁の内部に給水配管内の異物が侵入することがある。このような状態で機器内へ給水されて水位検知器が所定水位を検知すると、給水弁がそのシール部に異物を噛み込んだ状態で閉止され、完全に閉弁できない状態が発生し、予期し得ない水漏れを生じることになる。
【０００３】
また、これとは別に、食器洗い機における漏水対策として、給水弁の故障による洗浄槽内への異常給水を検知する発明が、特許第３２９３２５６号公報（「食器洗い機」、特許文献１）に記載されているように、既に提案されている。
上記特許文献１に記載されている食器洗い機は、図５に示されているように通常の構成を備えるものであり、食器類４２を収納する食器かご５２や洗浄ノズル４３を有する洗浄槽４１と、モータ４５によって駆動され洗浄水を洗浄ノズル４３に送り込む洗浄ポンプ４４と、洗浄槽４１内に水道水を給水する給水弁４６と、洗浄槽４１内の所定水位を検知する水位センサー４７と、洗浄水を加熱するヒーター４８と、洗浄水の水温を検知するサーミスター４９と、洗浄槽４１内の蒸気を排気口５１より送り出す送風ファン５０と、洗浄、すすぎ、乾燥行程などの運転動作を制御する制御手段５３等から成るものである。
【０００４】
このような食器洗い機において、食器かご５２に食器類４２を収納し、スタートスイッチをオンして運転を開始すると、制御手段５３は、給水動作において水位センサー４７が所定水位を検知するまで給水した後、洗浄行程又はすすぎ行程を行う。このとき、洗浄槽４１内の洗浄水は、洗浄ポンプ４４により洗浄ノズル４３に送り込まれて食器類４２に噴射されるため、洗浄水の水位は著しく低下する。その結果、水位センサー４７は洗浄行程等の開始時から約３秒間を経過すると、所定水位の検知をしなくなる。
【０００５】
一方、制御手段５３は、運転開始時点から給水弁４６の故障による洗浄槽４１への異常給水を監視しており、図５(ｂ)のステップ９１に示すように、２０秒間連続して所定水位を検知する否かを監視している。つまり、水位センサー４７が３秒間以上連続して所定水位を検知することは通常の動作においては起こり得ないことであるが、しかし、給水弁４６の故障によって洗浄槽４１への異常給水が行われると、ステップ９１において２０秒間連続して所定水位を検知することになり、ステップ９２において給水弁４６の異常を検知してこの異常を報知するものである。
【０００６】
さらに、上記特許文献１には、給水弁４６の故障による洗浄槽４１内への異常給水を検知することについて、次のように記載されている。
(１) 洗浄行程又はすすぎ行程において、水位センサー４７が予め設定した回数（例えば４回）を超えて所定水位を検知したときに、給水弁４６の故障による洗浄槽４１内への異常給水と判断して報知すること。
(２) 洗浄行程開始時又はすすぎ行程開始時から所定時間（例えば５秒）経過後に、水位センサー４７が予め設定した所定時間（例えば２０秒）連続して所定水位を検知したとき、給水弁４６の故障による洗浄槽４１への異常給水と判断して報知すること。
(３) 初めから水位センサー４７が所定水位を検知しているとき、この水位センサー４７が所定水位を検知しない水位になるまで排水した後、該水位センサー４７が所定時間連続して所定水位を検知したとき、給水弁４６の故障による洗浄槽４１内への異常給水と判断し報知すること。
【０００７】
また、特開２０００−１８４２９号公報（「給水制御装置」、特許文献２）には、洗浄槽の水位を検出するオーバーフロースイッチのオン動作によって給水異常が検知されたとき、給水弁を開くと共に、洗浄・排水ポンプを排水運転することにより、給水弁の異物噛み込みによる閉止異常を解消することが開示されている。
【特許文献１】特許第３２９３２５６号公報（特開平７−５９７１３号公報）
【特許文献２】特開２０００−１８４２９号公報
【発明の開示】
【発明が解決しようとする課題】
【０００８】
上記のように給水配管内に異物が入り込んだままの状態で、システムキッチンに設置した食器洗い機の最初の運転を開始する場合には、給水弁に異物を噛み込む確率が高くなり、完全に閉弁できなくなることが起こる。このような場合には、食器洗い機に設けられた給水弁の漏れ検知システムにより異常を検知して、排水動作を実行することができるが、予期せぬ機外への水漏れを発生する場合もある。
このようなことを防止するために、工事（設置）説明書や取扱い説明書等において、食器洗い機が設置された後に最初の運転を開始するとき、試運転時の水捨て動作を必ず実施するように指示することも考えられるが、施工業者やユーザが水捨て動作を確実に実行するという保証はないのが現実である。
また、上記特許文献１及び２に記載された食器洗い機においても、設置された後に試運転時の水捨て動作が実行されていなければ、上述した場合と同様の問題があり、給水弁が完全に閉弁できない状態が発生した場合には、給水弁の故障を報知することは可能であるが、機外への水漏れが発生する恐れがあることには変わりがない。
【０００９】
そこで、本発明の技術的課題は、上記のような問題点を解決するために、食器洗い機がシステムキッチンに設置され電源コードがコンセントに差し込まれた後、最初の運転を開始するとき、通常の運転を実行するのに先立って、必ず試運転時の水捨て動作を実行させることができるように、食器洗い機の制御手段を工夫することである。
【課題を解決するための手段】
【００１０】
本発明に係る食器洗い機は、システムキッチンに設置されて、最初の運転が行われるとき、水捨て動作を確実に実行することを基本とするものである。
以下に、上記課題を解決するために講じた手段を作用と共に説明する。
(１) 本発明に係る食器洗い機（請求項１に対応）は、食器類を収納する洗浄槽と、上記洗浄槽内に洗浄水を給水する給水弁を有する給水手段と、上記洗浄槽内の洗浄水の所定水位を検出する水位検出手段と、上記洗浄槽内に洗浄水を噴射する洗浄手段と、上記洗浄槽から洗浄水を排水する排水手段と、上記給水手段、洗浄手段、及び排水手段を制御して、上記洗浄槽内の食器類の洗浄やすすぎを行う制御手段とを備える食器洗い機を前提として、次の(イ)及び(ロ)によるものである。
(イ) 上記制御手段が試運転制御手段を備えて成り、
(ロ) 食器洗い機が設置されて最初に運転を行う時、上記給水手段により洗浄槽内に給水し、上記排水手段により洗浄槽から排水する水捨て動作を自動的に実行することにより、上記給水弁内に侵入する異物を機外に排出すること。
【００１１】
このように構成することにより、システムキッチンに食器洗い機を設置した後、最初の運転を行う時、上記給水手段の給水弁を開いて洗浄槽内に給水し、この洗浄槽内に給水された水を上記排水手段により排水する水捨て動作を自動的に実行するので、給水配管内に存在する金属粉、ゴミ、サビ等の異物を水と共に確実に排出することができる。
このように、食器洗い機の設置後における最初の運転時に、給水配管内の異物を確実に排出することができるので、食器洗い機のその後の通常運転時に、給水弁のシール部に異物を噛み込むことがなく、予期せぬ水漏れの発生を防止することが可能であり、製品に対する使用者の高い信頼を得ることができる。
また、食器洗い機が移設され再設置された場合や、長期間使用せずに電源ブレーカーが落とされて、その後再使用される場合にも、給水配管内には金属粉、ゴミ、サビ等の異物が存在することになり、食器洗い機を最初に設置した場合と同じ状況になるので、再設置後の最初の運転や長期間の不使用後における再使用での最初の運転は、食器洗い機を設置した後の最初の運転に含まれるものである。
このような水捨て動作は、食器洗い機を設置した後の最初の運転（再設置後の最初の運転、又は長期間の不使用後における再使用での最初の運転）を行う時に１回だけ実行し、その後の運転では行わないので、余分な水や電力を使用することがなく、省エネルギーであって経済的である。
なお、上記「水捨て動作」とは、食器洗い機の洗浄槽内へ給水して排水することにより、給水配管内に溜まっている水を食器洗い機を経由して排出することを目的とする動作を意味している。そこで、この「水捨て動作」には、単に給水して排水する場合に限らず、例えば、給水−洗浄−排水の各動作を繰り返して行う「予洗いコース」を利用して、給水配管内の水を排出する場合も含まれるものである。
【００１２】
(２) また、上記食器洗い機において、上記水捨て動作を複数回実行することができる。（請求項２に対応）
このような構成によれば、洗浄水の規定水量単位の水捨て動作を複数回行うことによって、給水配管から流出させるべき所定の水量を排出することができるので、給水配管内に存在する異物を除去することが可能である。
なお、「洗浄水の規定水量」とは、給水弁１９を開いて洗浄槽１１内に給水し、該洗浄槽内の水位が洗浄水位に達して（水位検出器２１がオンして）、該給水弁１９が閉じられたとき、該洗浄槽１１内に給水された洗浄水の水量である。
【００１３】
(３) また、上記食器洗い機において、上記水捨て動作を、給水−洗浄−排水の各動作を繰り返して行う所定のコースを利用して実行することができる。（請求項３に対応）
このような構成における所定のコースとしては、水を使用する運転コースである必要があり、所要時間の短い方が好都合であるため、給水−洗浄−排水を繰り返して行う予洗いコースを利用するのが最適である。このように、予洗いコースを利用して水捨て動作を行えば、他の運転コース、例えば、洗浄行程、すすぎ行程、乾燥行程を行う標準コースを利用する場合と比較して、水捨て動作に費やす時間、水、電力を少なくすることができる。
【００１４】
(４) また、上記食器洗い機において、上記水捨て動作を、上記給水弁の１回の開閉動作で行うことができる。（請求項４に対応）
このような構成によれば、給水弁の１回の開閉動作により水捨て動作を実行することができるので、給水弁を複数回開閉して水捨て動作を行う場合と比較して、短時間で水捨て動作を終了することができる。
【００１５】
(５) また、上記食器洗い機において、上記給水弁を開き給水を開始した後、該給水弁を閉じて給水を停止する前に、上記排水手段による排水を開始することにより、該給水弁の１回の開閉動作で洗浄水の規定水量よりも多い量の水捨てを行うことができる。（請求項５に対応）
このような構成によれば、給水弁の１回の開閉動作で、給水配管から流出させるべき所定の水量を洗浄槽内へ給水することができるので、該給水配管にある異物を全て排出させた後で閉弁することができ、給水配管からの異物が給水弁内を流れているときに閉弁することがなくなり、給水弁への異物の噛み込みを防止することができる。
【発明の効果】
【００１６】
以上のように、本発明の食器洗い機によれば、食器洗い機の設置後における最初の運転時に、給水配管内の異物を確実に排出することができるので、食器洗い機のその後の通常運転時に、給水弁のシール部に異物を噛み込むという給水弁の異常を発生することがなく、予期せぬ水漏れを防止することが可能であり、製品に対する使用者の高い信頼を得ることができる。
また、食器洗い機が移設され再設置された場合や、長期間使用されなかった後に再使用される場合にも、食器洗い機を設置した後に最初の運転を行う場合と同様に、水捨て動作を自動的に実行することができるので、給水配管内の異物を確実に排出することが可能であるばかりでなく、洗浄槽内の汚れた残留水やぬめりのついた水を除去することができる。
そして、水捨て動作は食器洗い機の最初の運転時に１回だけ実行し、その後の運転では行わないので、余分な水や電力を使用することがなく、省エネルギーであって経済的である。
【発明を実施するための最良の形態】
【００１７】
以下に、本発明の実施例１〜実施例３による食器洗い機について、図１〜図４に基づいて説明する。これらの各実施例は、給水配管内の異物を排出するための試運転時の水捨て動作に関する点が異なっており、それ以外の点は互いに共通するものである。
【実施例１】
【００１８】
最初に、本発明の実施例１による食器洗い機について、図１及び図２を参照しながら説明する。図１は食器洗い機を説明する縦断面図と制御部のブロック図であり、図２は食器洗い機における試運転時の水捨て動作について説明するフローチャートである。
〔食器洗い機の構成〕
先ず、この実施例１による食器洗い機の構成について、図１を参照しながら説明する。本体１０内には、図１(ａ)に示されているように、前面側の扉２４によって引き出すことができる洗浄槽１１を備えており、この洗浄槽１１の内部には食器カゴ１２,１２’やヒーター１４が設けられている。また、該洗浄槽１１には、回転ノズル（噴射ノズル）１３と洗浄・排水ポンプ１７から成り食器類を洗浄する洗浄手段と、給水弁（給水電磁弁）１９と給水管（給水ホース）２０等から成り該洗浄槽１１へ水を供給する給水手段と、洗浄・排水ポンプ１７と排水管（排水ホース）１８と排水トラップ２６と排水逆止弁２７等から成り、該洗浄槽１１に溜まっている水を外部へ排出する排水手段と、乾燥ファン２２と上記扉２４に形成された排気口２３等から成り、該洗浄槽１１内の食器類を乾燥する乾燥手段が取り付けられている。
なお、上記洗浄・排水ポンプ１７は、１台で洗浄ポンプと排水ポンプの機能を備えるものであるが、それぞれ専用の洗浄ポンプと排水ポンプを設けることも可能である。
【００１９】
上記洗浄槽１１の底部には、残菜フィルター１５を備える水受け部１６が形成されており、この水受け部１６には洗浄・排水ポンプ１７と水位検出器２１が連通されている。符号２５は洗浄槽１１内の温度を検知するサーミスターであり、符号２９は食器洗い機の水漏れを検知する水漏れ検知センサーである。
また、上記扉２４の前面には、電源スイッチ２８ａ、スタート／一時停止スイッチ２８ｂ、及び表示手段（図示を省略）等を備える操作部２８が設けられており、この扉２４の内部には食器洗い機の運転を制御する制御部３０が設けられている。
【００２０】
上記制御部３０は、図１(ｂ)に示されているように、通常の食器洗い機が備える制御手段３０ａの他に、試運転制御手段３０ｂを備えている。この制御手段３０ａは食器洗い機の通常の運転動作を制御するものであり、試運転制御手段３０ｂは、施工業者がシステムキッチンに食器洗い機を設置した後、この施工業者又は使用者（ユーザ）が最初の運転をする時に、水捨て動作が必ず行われるように制御すると共に、この水捨て動作が行われたことを記憶することができるものである。このような水捨て動作は、電源コンセント投入後の最初の運転で１回のみ実行され、その後、電源コードがコンセントから抜かれたり、停電が発生したりしない限りは、２回目以降の運転において実行されることはないから、余分な水や電力を使うことはない。
また、最初の運転で水捨て動作が行われたことを記憶するメモリーとして、不揮発性メモリーを使用すれば、停電等が発生した場合にも記憶内容が消えないので、停電等の発生後における最初の運転でも水捨て動作が行われることはないので、余分な時間、水、電力を浪費することがなく好都合である。
上記それぞれの制御手段３０ａ,３０ｂは、操作部２８、水位検出器２１、サーミスター２５、水漏れ検知センサー２９等の各センサーから信号を受け取り、洗浄・排水ポンプ１７、給水弁１９、ヒーター１４、乾燥ファン２２、及び表示手段等を動作させることにより、食器洗い機の制御を実行する。
【００２１】
〔食器洗い機の動作〕
次に、この実施例１の食器洗い機における試運転制御手段３０ｂによる試運転時の水捨て動作と、制御手段３０ａによる通常運転時の動作について説明する。
（試運転時の水捨て動作について）
先ず、上記試運転制御手段３０ｂによる試運転時の水捨て動作について、図２を参照しながら説明する。
この試運転制御手段３０ｂは、施工業者により施工された給水配管から給水弁１９に侵入する異物を機外へ排出する水捨て動作を行わせるためのものである。このような水捨て動作は、施工業者がシステムキッチンに食器洗い機を設置した後、この施工業者又は使用者が最初の運転を行うとき、給水→排水、又は給水→洗浄→排水等の動作を自動的に行わせることによって、確実に実行されるように成っている。
また、上記水捨て動作は、食器洗い機が移設され再設置された場合や、長期間使用せずに電源ブレーカーが落とされて、その後再使用される場合にも、同じように実行される。
【００２２】
上記試運転時の水捨て動作は、図２のフローチャートに示されているように、食器洗い機が施工業者により設置された後、電源コードがコンセントに差し込まれる（電源コンセントが投入される）と（ステップ１（図では、「Ｓ１」と示す。以下のステップでも同様である。））、電源スイッチ２８ａがオンされるまで待機する（ステップ２）。その後、電源スイッチ２８ａがオンされると次のステップ３に進み、電源コンセント投入後の最初の運転か否かを判断する。最初の運転であればステップ４に進んでスタートスイッチ２８ｂがオンされるまで待機する。スタートスイッチ２８ｂがオンされるとステップ５へ進み、自動的に予洗いコースが選択された後、ステップ６へ進む。なお、上記ステップ４，５の順序は逆になっても差し支えない。上記ステップ３において最初の運転でなければ（２回目以降の運転であれば）、ステップ９へ進む。
上記ステップ５では、予洗いコースが自動的に選択されるようになっているが、水を用いる運転コースであれば他の運転コースを選択するように構成することも可能である。しかしながら、水捨て動作に要する時間、使用する水量や電力等を考慮すれば、予洗いコースを選択するように構成するのが最適である。
上記ステップ６へ進むと、給水弁１９を開き洗浄水位になる迄（水位検出器２１がオンになる迄）洗浄水の給水動作を行う。洗浄水が洗浄水位に達する（洗浄水の規定水量になる）と、洗浄・排水ポンプ１７が排水運転され所定時間（例えば、４５秒間）排水動作を行った後（ステップ７）、設置後の最初の運転を実行したことを登録してから（ステップ８）、ステップ１４ヘ進む。
このステップ１４では、選択されているコースが予洗いコースか否かを判断するが、ここでは上記ステップ５において予洗いコースが選択されているから、ステップ１５へ進む。
【００２３】
ステップ１５〜２０は予洗いコースであり、通常運転時のコース選択において選ぶことができる運転コースの１つである。この予洗いコースでは、従来の食器洗い機の場合と同様に、給水→洗浄→排水の各動作が２回繰り返して行われる。
最初に、給水弁１９を開き洗浄水が洗浄水位になる迄給水動作を行う（ステップ１５）。洗浄水が洗浄水位に達すると、洗浄・排水ポンプ１７を洗浄運転して洗浄動作を所定時間（例えば、２分間）実行した後（ステップ１６）、該洗浄・排水ポンプ１７を排水運転に切り替えて排水動作を所定時間（例えば、４５秒間）行う（ステップ１７）。さらに続けて、再び給水弁１９を開き洗浄水位になる迄給水動作を行い（ステップ１８）、洗浄・排水ポンプ１７により洗浄動作を所定時間（例えば、１分間）実行してから（ステップ１９）、排水動作を所定時間（例えば、４５秒間）行った後（ステップ２０）、設置後の最初の運転を完了して（ステップ２１）、電源スイッチ２８ａをオフしてからステップ２へ戻る。このステップ２では、次に電源スイッチ２８ａがオンされるまで待機する。
このようにして、上記ステップ６、７による水捨て動作と、上記ステップ１５〜２０の予洗いコースによる水捨て動作を実行することにより、給水弁１９を開き給水配管から所定量の水を流出させて、それを機外に排水することができるので、給水弁１９に侵入する異物を排出することが可能になる。なお、予洗いコースの給水→洗浄→排水の動作は、１回でもよい。
また、上記の水捨て動作では、ステップ６、７による水捨て動作の後にステップ８からステップ１４へ進み、予洗いコース（ステップ１５〜２０）による水捨て動作を行っているが、上記ステップ６、７の水捨て動作の後に、ステップ８から点線で示すように直接にステップ２１へ進み、設置後の最初の運転を完了することも可能である。
【００２４】
（通常運転時の動作について）
次に、制御手段３０ａによる通常運転時の動作について、図２を参照しながら説明する。
電源スイッチ２８ａがオンされると（ステップ２）次のステップ３へ進み、電源コンセント投入後の最初の運転か否かを判断する。今回は、最初の運転ではないからステップ９へ進み、前回の運転で選択したコースが自動的に選択されて次のステップ１０へ進む。このステップ１０において、運転コース選択スイッチがオンされなければステップ１２へ進み、ここでスタートスイッチ２８ｂがオンされるまで待機する。
一方、上記ステップ９において、自動的に選択された運転コースを別のコースに変更する場合や、どの運転コースも選択されていない場合には、運転コース選択スイッチをオンすることにより希望する選択コースを選択して（ステップ１０、１１）、ステップ１２へ進む。このステップ１２では、スタートスイッチ２８ｂがオンされるまで待機する。
【００２５】
上記ステップ１２において、スタートスイッチ２８ｂがオンされると、洗浄・排水ポンプ１７を排水運転することにより、所定時間（例えば、４５秒間）排水動作を実行して（ステップ１３）、次のステップ１４へ進む。このステップ１４では、選択コースが予洗いコースか否かを判断し、予洗いコースであれば上述したような予洗いコースの動作を行う（ステップ１５〜２０）。この予洗いコースが終了して運転が完了すると（ステップ２１）、電源スイッチ２８ａをオフしてからステップ２へ戻り、次に電源スイッチ２８ａがオンされるまでこの状態で待機する。
【００２６】
上記ステップ１４において、選択コースが予洗いコースでない場合は、ステップ２２において示すように、上記ステップ９〜１１において選択された運転コース、例えば、標準コース、快速洗いコース、念入りコース、又は乾燥コース等のそれぞれの運転コースの動作を実行して運転を完了し（ステップ２３）、電源スイッチ２８ａをオフしてからステップ２へ戻り、次に電源スイッチ２８ａがオンされるまでこの状態で待機する。
なお、上記各運転コースにおいて実行されるそれぞれの行程、及びそれぞれの行程において実行される給水、洗浄、排水、又は送風等の各動作については、従来の食器洗い機の場合と同様であるから、ここではその説明を省略する。
【実施例２】
【００２７】
本発明の実施例２による食器洗い機について、図３を参照しながら説明する。図３は食器洗い機における試運転時の水捨て動作について説明するフローチャートである。
この実施例２の食器洗い機は、上記実施例１において、その試運転時の水捨て動作のうち、ステップ６、７による水捨て動作（図２を参照）を省略したものであり、それ以外の構成は実施例１と同じであるから、この実施例２については、試運転時の水捨て動作を中心に説明する。
【００２８】
この実施例２の食器洗い機における試運転時の水捨て動作は、図３のフローチャートに示されているように、食器洗い機が施工業者により設置された後、電源コンセントが投入されると（ステップ３０）、電源スイッチ２８ａがオンされるまで待機する（ステップ３１）。その後、電源スイッチ２８ａがオンされると次のステップ３２へ進み、電源コンセント投入後の最初の運転か否かを判断する。最初の運転であればステップ３３に進んでスタートスイッチ２８ｂがオンされるまで待機する。スタートスイッチ２８ｂがオンされるとステップ３４へ進み、自動的に予洗いコースが選択された後、ステップ４０へ進む。なお、上記ステップ３３，３４の順序は逆になっても差し支えない。
上記ステップ３２において最初の運転でなければ（２回目以降の運転であれば）、ステップ３５へ進む。
【００２９】
上記ステップ４０では、選択されているコースが予洗いコースか否かを判断するが、ここでは上記ステップ３４において予洗いコースが選択されているから、ステップ４１へ進む。ステップ４１〜４６は、通常運転時のコース選択において選ぶことができる予洗いコースであって、上記実施例１（図２のステップ１５〜２０を参照）において説明したとおり、給水→洗浄→排水の各動作が２回繰り返して行われ、水捨て動作が実行される。予洗いコースの２回目の排水動作が終了すると（ステップ４６）、設置後の最初の運転を実行したことを登録してから（ステップ４７）その運転を完了して（ステップ４８）、電源スイッチ２８ａをオフした後ステップ３１へ戻り、次に電源スイッチ２８ａがオンされるまで待機する。
このようにして、上記ステップ４１〜４６の予洗いコースによる水捨て動作を実行することにより、給水弁１９を開き給水配管から所定量の水を流出させて、それを機外に排水することができるので、給水弁１９に侵入する異物を排出することが可能になる。
なお、本実施例２の食器洗い機における通常運転時の動作は、図３のステップ３１、３２、３５〜５０（ステップ４７を除く）に示すように、実施例１（図２のステップ２、３、９〜２３を参照）と同じであるから、ここではその説明を省略する。
【実施例３】
【００３０】
本発明の実施例３による食器洗い機について、図４を参照しながら説明する。図４は食器洗い機における試運転時の水捨て動作について説明するフローチャートである。
この実施例３の食器洗い機は、上記実施例１において、ステップ６〜８による水捨て動作（図２を参照）を変更したものであり、それ以外の構成は実施例１と同じであるから、この実施例３については、試運転時の水捨て動作を中心に説明する。
【００３１】
この実施例３の食器洗い機における試運転時の水捨て動作は、図４のフローチャートに示されているように、食器洗い機が施工業者により設置された後、電源コンセントが投入されると（ステップ６０）、電源スイッチ２８ａがオンされるまで待機する（ステップ６１）。その後、電源スイッチ２８ａがオンされると次のステップ６２へ進み、電源コンセント投入後の最初の運転か否かを判断する。最初の運転であればステップ６３へ進み、スタートスイッチ２８ｂがオンされるまで待機する。ステップ６２において最初の運転でなければ（２回目以降の運転であれば）、ステップ７３へ進む。
【００３２】
上記ステップ６３においてスタートスイッチ２８ｂがオンされるとステップ６４へ進み、給水弁１９を開き洗浄槽１１への給水を開始する。この給水は洗浄水が洗浄水位になる迄（水位検出器２１がオンになる迄）継続され（ステップ６５）、洗浄水位になる（洗浄水の規定水量になる）と洗浄・排水ポンプ１７を排水運転して排水を開始する（ステップ６６）。この排水を開始してから所定時間（例えば、２分間）が経過すると（ステップ６７）、給水弁１９を閉じて洗浄水の給水を停止する（ステップ６８）。この給水を停止してから所定時間（例えば、４５秒間）が経過すると（ステップ６９）、洗浄・排水ポンプ１７の排水運転を止めて排水を停止する（ステップ７０）。次に、ステップ７１ヘ進み、設置後の最初の運転を実行したことを登録してから（ステップ７１）その運転を完了して（ステップ７２）、電源スイッチ２８ａをオフした後ステップ６１へ戻り、次に電源スイッチ２８ａがオンされるまで待機する。
また、上記ステップ６５、６６における排水の開始は、洗浄水が洗浄水位に達したときに実行しているが、ステップ６４で給水を開始してからの経過時間を計ることによって、洗浄水が洗浄水位に達する前に排水を開始することもできる。
【００３３】
このようにして、上記ステップ６４〜７０による水捨て動作を実行することにより、給水弁１９を開き給水配管から所定水量を流出させて、それを機外に排水することができるので、給水弁１９に侵入する異物を排出することが可能になる。また、給水配管から所定水量を流出させるとき、給水弁１９を１回開閉するだけであるから、給水弁１９に異物を噛み込む確率が極めて小さくなる。
また、上記の水捨て動作はステップ６４〜７０により行われ運転を完了（ステップ７２）しているが、このような水捨て動作の後に、ステップ７１から点線で示すようにステップ７９〜８４へ進み、さらに予洗いコースによる水捨て動作を実行してから、設置後の最初の運転を完了（ステップ８５）することも可能である。
なお、本実施例３の食器洗い機における通常運転時の動作は、図のステップ６１、６２、７３〜８７に示すように、実施例１（図２のステップ２、３、９〜２３を参照）と同じであるから、ここではその説明を省略する。
【００３４】
上述した実施例１〜３の食器洗い機では、電源コンセントが投入された後、電源スイッチ２８ａがオンされ、さらにスタートスイッチ２８ｂがオンされたとき、水捨て動作を行う最初の運転が開始されるように構成しているが、このように構成することは必ずしも必要ではなく、電源コンセントが投入された直後に、自動的に最初の運転が開始されるように構成することも可能である。
このように構成した場合には、電源コンセントを投入した直後に、突然最初の運転が開始されて施工業者や使用者を驚かせることがあるので、この点に配慮する必要がある。
【図面の簡単な説明】
【００３５】
【図１】は、本発明の実施例１による食器洗い機を説明する模式図であり、(ａ)は全体の縦断面図、(ｂ)は制御部のブロック図である。
【図２】は、本発明の実施例１による食器洗い機の試運転時における水捨て動作について説明するフローチャートである。
【図３】は、本発明の実施例２による食器洗い機の試運転時における水捨て動作について説明するフローチャートである。
【図４】は、本発明の実施例３による食器洗い機の試運転時における水捨て動作について説明するフローチャートである。
【図５】は、従来の食器洗い機における給水弁の異常検知に関する説明図であり、(ａ)は食器洗い機の模式図であり、(ｂ)は給水弁の異常検知処理のフローチャートである。
【符号の説明】
【００３６】
１０…（食器洗い機の）本体              １１…洗浄槽
１３…回転ノズル（洗浄ノズル）          １７…洗浄・排水ポンプ
１８…排水管（排水ホース）              １９…給水弁（給水電磁弁）
２０…給水管（給水ホース）              ２１…水位検出器
２８…操作部                            ２８ａ…電源スイッチ
２８ｂ…スタート／一時停止スイッチ      ３０…制御部
３０ａ…制御手段                        ３０ｂ…試運転制御手段
【図１】
2008284223.tif 000003
【図２】
2008284223.tif 000004
【図３】
2008284223.tif 000005
【図４】
2008284223.tif 000006
【図５】
2008284223.tif 000007